(57)【要約】      （修正有）【課題】園芸品種の出荷から陳列時までは、生産者、流通業者、販売者、消費者等にとって種々の園芸品種を識別しやすい複合表示体であり、購入後の消費者にとって必要な情報を伴いさらに誤記等の可能性のない表示体をその一部に有する園芸用複合表示体を提供する。【解決手段】複数の表示体１を含む複合表示体５において、分離可能な連接合２を設けるようにしたため、連接合時は品種名、品種図を伴う種々の情報により園芸品種を識別できる表示体となり、一方園芸用複合表示体を分割した一部表示体は園芸品種の移植場所への差し直しに適する必要な情報を伴う表示を実現した。【選択図】図１
0003216145.tif 000002
【実用新案登録請求の範囲】
【請求項１】
二以上の表示体同士が連接合した園芸用複合表示体であって
該園芸用複合表示体は突出部からなる差込部を有し
該二以上の表示体同士の連接端部は該差込部側に滑性外縁を形成又は該差込部側以外に位置し
該二以上の表示体同士は分離により各単独の表示部及び少なくとも一以上の差込部を形成するもの。
【請求項２】
品種名が記載された表示体及び品種図が記載された表示体同士が連接合した園芸用複合表示体であって
該園芸用複合表示体は突出部からなる差込部を有し
該表示体同士の連接端部は該差込部側に滑性外縁を形成又は該差込部側以外に位置し
該表示体同士は分離により各単独の表示部及び少なくとも一以上の差込部を形成するもの。
【請求項３】
品種名が記載された移植専用表示体及び品種図が記載された表示体同士が連接合した園芸用複合表示体であって
該園芸用複合表示体は突出部からなる差込部を有し
該表示体同士の連接端部は該差込部側に滑性外縁を形成又は該差込部側以外に位置し
該表示体同士は分離により各単独の表示部及び突出部からなる差込部を形成するもの。
【考案の詳細な説明】
【技術分野】
【０００１】
本考案は、園芸品種の名称、園芸品種の写真、栽培方法その他の管理情報を表示した園芸用複合表示体に関する。
【背景技術】
【０００２】
従来の園芸用表示体は、園芸品種の陳列時に種々の園芸品種を識別することを主たる目的として付される。識別情報には、園芸品種の名称、園芸品種の写真、その他の情報が含まれる。通常、表示体の表面に、園芸品種の名称、園芸品種の写真を、表示体の裏面に、栽培方法その他の管理情報を表示されることもある。一般に、園芸品種の出荷時にその生産者は品種の識別のため、予め品種名の印字された表示札を付す。また、流通、陳列時は、取扱業者、販売者等は品種名の印字された表示札を識別標識としている。
【先行技術文献】
【特許文献】
【０００３】
【特許文献１】実公昭５５−００７９６７
【考案の概要】
【考案が解決しようとする課題】
【０００４】
未印刷の表示札を５枚あるいは１０枚等の数えやすい単位枚数にして、１枚の表示札として構成することで、管理・販売において１枚毎取扱う不便さをなくすための考案として、表示体を一定間隔で仮付部を形成し、この仮付部で区分されてなる表示体の同一片端を尖鋭にした植木鉢用表示体が提供されている（例えば、特許文献１）。この考案は、未印刷の表示札を複数枚の仮付け状態で１枚にした植木鉢用表示体である。つまり、管理・販売及び記入・捺印・プリント時には１枚の表示札として取扱い、植木鉢用に使用する時には簡単に分割できるようにして取扱う。従って、未印刷の表示札を複数枚の仮付け状態で１枚にしたまま、管理・販売することを予定したもので、１枚にしたまま植木鉢の陳列等に用いられない。
【０００５】
一般に園芸品種の購入者は、品種の識別のために陳列時に付されていた表示札について苗と共に移植することが多い。店頭等の陳列に際し販売者は、顧客に対し園芸品種の特色を視覚的に印象付け、購買意欲を高められる表示札を付すことが多い。この場合、消費者が一見しただけで対象となる園芸品種の特性・種類を理解できるように識別性を重視し、園芸品種の苗と比較し大きめとなる園芸品種名等の目立つ情報を伴う表示札が用いられる傾向がある。
【０００６】
また、消費者は、このような陳列時の印字済みの表示札をポット等から抜き取り、移植後に別途の適当なサイズ形状の未印刷の表示札に品種名を自ら記入し直し、移植場所に別途の表示札を挿すことがある。
【０００７】
ここで考案者は、次のような３つの課題があることを認識した。まず、前者のように購入後に園芸品種の移植場所に陳列時の表示札を差し直した場合に、その表示札が相対的に大きく目立つ結果、消費者の視界を遮ることでかえって移植後の苗を十分に観察ができない。また、表示札が物理的な障壁となることで移植後間もない園芸品種の苗に不可欠な日照量、水分量、栄養等が良好に行き渡らなくなる可能性がある。さらに、後者のように移植後に別途の未印刷の表示札に品種名を記入し直す場合に、購入者が品種名を誤記等するおそれがある。
【課題を解決するための手段】
【０００８】
そこで、考案者は、園芸品種の出荷から陳列時までは、生産者、流通業者、販売者、消費者等にとって種々の園芸品種を識別しやすい複合表示体であり、かつ、購入後の消費者にとって必要な情報を伴いさらに誤記等の可能性のない表示体をその一部に有する複合表示体の構成を着想した。表示体において連接合の設計の可能性及びその作業性を検討した結果、連接合による設計が可能であることを確認した。また、種々の連接合及びサイズのサンプルを作成し切り離す際の作業性を確認した。さらに切り離した表示体が移植場所（花壇や植木鉢）に差しやすい形状、強度であることを確認した。
【０００９】
請求項１に記載の本考案は、二以上の表示体同士が連接合した園芸用複合表示体であって、該園芸用複合表示体は突出部からなる差込部を有し、該表示体同士の連接端部は該差込部側に滑性外縁を形成又は該差込部側以外に位置し、該二以上の表示体同士は分離により各単独の表示部及び少なくとも一以上の差込部を形成するものである。
【００１０】
請求項２に記載の本考案は、品種名が記載された表示体及び品種図が記載された表示体同士が連接合した園芸用複合表示体であって、該園芸用複合表示体は突出部からなる差込部を有し、該表示体同士の連接端部は該差込部側に滑性外縁を形成又は該差込部側以外に位置し、該表示体同士は分離により各単独の表示部及び少なくとも一以上の差込部を形成するものである。
【００１１】
請求項３に記載の本考案は、品種名が記載された移植専用表示体及び品種図が記載された表示体同士が連接合した園芸用複合表示体であって、該園芸用複合表示体は突出部からなる差込部を有し、該表示体同士の連接端部は該差込部側に滑性外縁を形成又は該差込部側以外に位置し、該表示体同士は分離により各単独の表示部及び突出部からなる差込部を形成するものである。
【００１２】
本考案における表示体としては、園芸品種の生育時に加湿条件下や屋外で使用でき、園芸品種の識別や説明に使用される表示体であれば、特に限定はされない。
本考案における園芸用複合表示体としては、園芸品種の識別に使用される複数の表示体からなるものであれば特に限定はされないが、品種名および／または品種図が記載された複数の表示体からなるものであればさらに好ましい。
本考案における品種名が記載された表示体とは、品種名等、識別に必要な情報を伴う表示体であれば特に限定はないが、移植後に園芸品種の識別に使用できるものが好ましい。
本考案における品種図が記載された表示体とは、園芸品種の図等、識別しやすい表示情報を伴う表示体であれば特に限定はないが、移植後に園芸品種の管理に使用できるものが望ましい。
本考案における品種名が記載された移植専用表示体とは、品種名等、識別に必要な情報を伴う表示体であれば特に限定はないが、移植後に園芸品種の識別に使用できれば特に限定はなく、移植後の園芸品種の生育に適する形状の表示体であればより好ましい。さらに、文字だけのネームラベルでもよく、デザイン性が高いとする構成としても良く、さらに好ましくは園芸に関係するアイコンを付けたり、地色は花色と連動させつつどんな植物にも馴染む色合いとしても良い。
【００１３】
本考案における連接合としては、隣接する複数表示体間が接合し分離できる構成であれば特に限定はされないが、例えば、ミシン目を設けた接合でもよく、切込み溝を設けた接合でもよい。
本考案における差込部とは、園芸品種の識別に使用される表示体を支持し、花壇や植木鉢等への差込に耐える構造であれば特に限定はされない。
本考案における表示体同士の連接端部とは、接合する複数表示体間の連接合の端部である。
本考案における滑性外縁とは、表示体の縁に突出した部分がなければ特に限定されないが、例えば表示体の差込む方向に差込部以外の突出部分がなく、差込みの際に植木鉢、花壇等に干渉する突出部がない形状をいう。
本考案における差込部側における表示体同士の連接端部とは、複合表示体の差込部が位置する側面に存する連接合の端部をいう。
本考案における差込部側以外に位置する表示体同士の連接端部とは、複合表示体の差込部が位置する側面以外の側面に存する連接合の端部をいう。
本考案における二以上の表示体同士は分離により各単独の表示部及び突出部からなる差込部を形成するとは、複合表示体中の各表示体は独自の表示部及び突出部を有することで分離後に独立した複数表示体となる構造をいう。
【考案の効果】
【００１４】
本考案による園芸用複合表示体において、複数の表示体を一つの複合表示体としたことで、品種名、品種図を伴う種々の情報により園芸品種を識別しやすくなる。また、その一部表示体は、移植時に必要な情報を伴う表示体を分離可能とするため、移植後に別途の適当な未印刷の表示札に品種名を自ら記入し直し移植場所に別途の表示札を挿す等の必要がなく、移植時に品種名を誤記等するおそれを低減できる。
【００１５】
また、移植後に園芸用複合表示体を分割した一部表示体を園芸品種の移植場所に差し直すに際し、当該一部表示体は、移植後の視界を遮りにくく移植後の苗を十分に観察ができ、移植後間もない園芸品種の苗にとって物理的な障壁とならず十分な日照量、水分量、栄養等を得やすく健全な生育を示しやすい環境を整えることができる。
【図面の簡単な説明】
【００１６】
【図１】本考案の実施例を示す、園芸用複合表示体の差込部側を下方向とした平面図である。
【図２】本考案の実施例を示す、園芸用複合表示体の差込部側を下方向とした平面図である。
【図３】本考案の実施例を示す、園芸用複合表示体の差込部側を下方向とした平面図である。
【図４】本考案の実施例を示す、園芸用複合表示体の差込部側を下方向とした平面図である。
【図５】本考案の実施例を示す、園芸用複合表示体の差込部側を下方向とした平面図である。
【図６】本考案における園芸用複合表示体の滑性外縁を形成する連接端部を５つ例示する平面図である。
【図７】本考案の実施例を示す、分割状態の園芸用複合表示体の差込部側を下方向とした平面図である。
【図８】本考案の実施例を示す、分割状態の園芸用複合表示体の差込部側を下方向とした平面図である。
【図９】本考案の実施例を示す、分割状態の園芸用複合表示体の差込部側を下方向とした平面図である。
【考案を実施するための形態】
【００１７】
本考案は、複数の表示体を含む複合表示体において、分割可能な連接合を設けるようにしたため、連接合時は品種名、品種図を伴う種々の情報により園芸品種を識別できる表示体となり、一方園芸用複合表示体を分割した一部表示体は園芸品種の移植場所への差し直しに適する必要な情報を伴う表示を実現した。
【実施例】
【００１８】
つぎに、本考案の第１の実施例による園芸用複合表示体を図１、図３ないし図９にもとづき説明する。ただし、図２における同様の部分には同一符号を付し、その詳述はこれを省略する。
図１ないし図５は、園芸用複合表示体５の実施例を示す平面図である。図６は、園芸用複合表示体の滑性外縁を形成する連接端部４を５つ例示する平面図である。図７ないし図９は、分割状態の園芸用複合表示体の差込部側を下方向とした平面図である。
【００１９】
図１は、園芸用複合表示体５の中に、２つの表示体１が連接合２を介し連接した平面図であって、差込部３ａを下方向に差込む際に連接端部４は植木鉢等に干渉せず差込みやすく形成されている。左側の表示体１は連接合２で分離された際に差込部３ｂを備えるように滑性外縁４が形成されている。
【００２０】
図３は、園芸用複合表示体５の中に、２つの表示体１が連接合２を介し連接した平面図であって、差込部３ａを下方向に差込む際に連接端部４は差込部３側にないため植木鉢等に干渉せず差込みやすく形成されている。下側の表示体１は連接合２で分離された際にもとからの差込部３ａでありかつ差込部３ｂを備えるように滑性外縁４が形成されている。
【００２１】
図４は、園芸用複合表示体５の中に、３つの表示体１が連接合２を介し連接した平面図であって、差込部３ａを下方向に差込む際に連接端部４は植木鉢等に干渉せず差込みやすく形成されている。連接合２で分割された際に、左側及び右側の表示体１は差込部３ｂを並びに中央の表示体１はもとからの差込部３ａでありかつ差込部３ｂを備えるように滑性外縁４が形成されている。
【００２２】
図５は、園芸用複合表示体５の中に、２つの表示体１が連接合２を介し連接した平面図であって、差込部３ａを下方向に差込む際に連接端部４は植木鉢等に干渉せず差込みやすく形成されている。連接合２で分割された際に、左側の表示体１は差込部３ｂを並びに右側の表示体１はもとからの差込部３ａでありかつ差込部３ｂを備えるように滑性外縁４が形成されている。
【００２３】
図６は、園芸用複合表示体の滑性外縁を５つ例示する平面図であって、いずれの園芸用複合表示体の一部も連接合（点線部）および分割する際に差込部３ｂとなる部分、及び、下方向に差込む際に連接端部４は植木鉢等に干渉せず差込みやすく形成されている連接端部４を含む。これらの連接端部の例に挙げられる滑性外縁により、植木鉢、花壇等に下方向にあるもとからの差込部を差込む際に植木鉢等に接触せず作業性が良い。
【００２４】
図７は、園芸用複合表示体の連接合を分割し２つの独立の表示体１とした平面図であって、左側の表示体１に差込部３ｂが形成されている。これによって園芸複合表示体に記載された表示内容のうち一部の表示内容を分割後の独立した表示体に記載されるように表示内容をアレンジすることができる。
【００２５】
図８は、園芸用複合表示体の連接合を分割し２つの独立の表示体１とした平面図であって、左側の表示体１に差込部３ｂが、右側の表示体１にもとからの差込部３ａでありかつ差込部３ｂが形成されている。これによって園芸複合表示体に記載された表示内容のうち一部の表示内容を分割後の独立した表示体に記載されるように表示内容をアレンジすることができる。
【００２６】
図９は、園芸用複合表示体の連接合を分割し２つの独立の表示体１とした平面図であって、下側の表示体１にもとからの差込部３ａでありかつ差込部３ｂが形成されている。これによって園芸複合表示体に記載された表示内容のうち一部の表示内容を分割後の独立した表示体に記載されるように表示内容をアレンジすることができる。
【００２７】
図１ないし図５に例示される構成の園芸用複合表示体においては、分割可能な連接合を設け、連接合した際は複合表示体として品種名、品種図を伴う種々の情報により園芸品種を識別の高い表示体として使用でき、一方園芸用複合表示体を分割した際は一部の表示体に必要な記載を配置することによって園芸品種の移植場所への差し直しに適する必要な表示体を簡便に提供することが可能となる。
【産業上の利用可能性】
【００２８】
本考案は、園芸品種の名称、園芸品種の写真、栽培方法その他の管理情報を表示する園芸用複合表示体として、有用性がある。
【符号の説明】
【００２９】
１・・・  表示体
２・・・  連接合
３ａ・・・  差込部
３ｂ・・・  分割により形成される差込部
４・・・  連接端部
５・・・  複合表示体
【図１】
0003216145.tif 000003
【図２】
0003216145.tif 000004
【図３】
0003216145.tif 000005
【図４】
0003216145.tif 000006
【図５】
0003216145.tif 000007
【図６】
0003216145.tif 000008
【図７】
0003216145.tif 000009
【図８】
0003216145.tif 000010
【図９】
0003216145.tif 000011